(57)【特許請求の範囲】
【請求項１】
サンプルに含まれる分析成分を濃縮カラムに濃縮させ、その濃縮された分析成分を溶離液で分離カラムに搬送して目的成分のアルカリ水中の塩化物イオンを分離し、この分離カラムからの塩化物イオンの成分を分析するイオン分析装置において、
前記濃縮カラムの入り口に設けられ濃縮直前にこの濃縮カラムに水酸化ナトリウム溶離液が注入される水酸化ナトリウム溶離液注入手段
を具備した事を特徴とするイオン分析装置。
【請求項２】
前記水酸化ナトリウム溶離液注入手段として、水酸化ナトリウム溶離液注入バルブが使用されたこと
を特徴とする請求項１記載のイオン分析装置。
【発明の詳細な説明】
【０００１】
【発明の属する技術分野】
本発明は、濃縮直前に濃縮カラムの溶離液組成が変更出来、微量レベルのイオンを測定可能としたイオン分析装置に関するものである。
【０００２】
【従来の技術】
図２は従来より一般に使用されている従来例の要部構成説明図である。
図において、
非測定モードでは、サンプル水がサンプルポンプ２を介して切換えバルブ３のポート１ ⇒２を通り廃液として流れている。
【０００３】
４は濃縮カラム、５は分離カラムであり、それぞれ、陰イオン交換樹脂よりなる充填剤が充填されたカラムが使用されるが、濃縮カラム４は内径４ｍｍ、長さ３０ｍｍ程度、分離カラム５は内径４ｍｍ、長さ２０ｃｍ程度のものが用いられる。
【０００４】
６はサプレッサ、７は導電率検出器である。
溶離液ポンプ８からは、切換えバルブ３のポート４⇒３⇒濃縮カラム４⇒６⇒５を通って溶離液が送出され、サプレッサ６には、除去液ポンプ９から除去液が送出されている。
【０００５】
次に、濃縮モードになると、切換えバルブ３が点線のように切換わり、サンプル水はポート１⇒６⇒濃縮カラム４⇒３⇒２のように流れて、サンプル水に含まれる測定成分が濃縮カラム４に補足される。
この時、溶離液は、切換えバルブ３のポート４⇒５を通って分離カラム５側に流れている。
【０００６】
所定時間経過後、切換えバルブ３を実線側に切換えると、溶離液がポート４⇒３⇒濃縮カラム４⇒６⇒５を通って流れ、濃縮カラム４で捕捉された測定成分を分離カラム５側に搬送し、サプレッサ６⇒導電率検出器７側に送出する。
【０００７】
導電率検出器７での測定結果は、図示しないクロマトグラム装置に送られて、所定の分析が行われる。
なお、切換えバルブ３の切換えや各ポンプの動作タイミングは図示しない制御手段により制御される。
【０００８】
【発明が解決しようとする課題】
しかしながら、このような装置においては、例えば、高アルカリ水の中に含まれる塩化物イオンの測定の場合に以下の問題点を有する。
分かりやすくする為に、より具体的な例で説明すると、例えば、測定水中にアンモニアが２４００ｐｐｂ程度含まれ、この中の極微量（ｐｐｔレベル）の塩化物イオン（Ｃ１−）を測定する場合について考える。
【０００９】
この場合、現在においては、２方式がある。溶離液が炭酸ナトリウムを使用する場合と、溶離液が水酸化ナトリウムを使用する場合である。
【００１０】
溶離液が炭酸ナトリウムの場合は、測定水中にアンモニアが２４００ｐｐｂ程度含まれ、この中の極微量（ｐｐｔレベル）塩化物イオン（Ｃ１−）を測定しようとした場合、塩化物イオン（Ｃ１−）が濃縮カラム４を通過あるいは保持されても、ピーク値がブロードとなり、測定が困難であった。
【００１１】
一方、溶離液が水酸化ナトリウムの場合は、測定水中にアンモニアが２４００ｐｐｂ程度含まれ、この中の極微量（ｐｐｔレベル）塩化物イオン（Ｃｌ−）を測定しようとした場含、比較的容易に塩化物イオン（Ｃｌ−）が測定出来る。
しかしながら、溶離液の特性上、測定水中の炭酸（炭酸ガスがとけ込む）がピーク値として現れてしまい、他の測定成分の測定精度を悪くする。
【００１２】
本発明の目的は、上記の課題を解決するもので、本発明の目的は、２方式の利点を利用をうまくすることを目的とし、炭酸のピークが出ない炭酸ナトリウムを溶離液として使用し、且つ、例えば、．測定水中にアンモニアが２４００ｐｐｂ程度含まれ、この中の塩化物イオン（Ｃｌ一）を測定しようとした場合、比較的容易に塩化物イオン（Ｃ１−）が出来るようにしたものである。
【００１３】
即ち、本発明の目的は、濃縮直前に濃縮カラムの溶離液組成が変更出来、微量レベルのイオンを測定可能としたイオン分析装置を提供することにある。
【００１４】
【課題を解決するための手段】
このような目的を達成するために、本発明では、請求項１記載のイオン分析装置においては、
サンプルに含まれる分析成分を濃縮カラムに濃縮させ、その濃縮された分析成分を溶離液で分離カラムに搬送して目的成分のアルカリ水中の塩化物イオンを分離し、この分離カラムからの塩化物イオンの成分を分析するイオン分析装置において、
前記濃縮カラムの入り口に設けられ濃縮直前にこの濃縮カラムに水酸化ナトリウム溶離液が注入される水酸化ナトリウム溶離液注入手段を具備した事を特徴とする。
【００１５】
本発明の請求項２においては、請求項１記載のイオン分析装置において、
前記水酸化ナトリウム溶離液注入手段として、水酸化ナトリウム溶離液注入バルブが使用されたことを特徴とする。
【００１７】
【発明の実施の形態】
以下図面を用いて本発明を詳しく説明する。
図１は本発明の一実施例の要部構成説明図である。
図において、図２と同一記号の構成は同一機能を表す。
以下、図２と相違部分のみ説明する。
【００１８】
図において、１１は、濃縮カラム４の入り口に設けられ、濃縮カラム４に組成変更溶離液１２が注入される組成変更溶離液注入手段である。
この場合は、組成変更溶離液注入手段１１として、組成変更溶離液注入バルブが使用されている。また、組成変更溶離液１２として、水酸化ナトリウムが使用されている。
【００１９】
なお、溶離液ポンプ８から送出される溶離液は、炭酸ナトリウムが使用され、測定水中にアンモニアが２４００ｐｐｂ程度含まれている。
１３は、組成変更溶離液注入バルブ１１に接続された計量管である。
【００２０】
以上の構成において、濃縮カラム４の注入口の直前に、組成変更溶離液注入バルブ１１を設け、濃縮開始後すぐに水酸化ナトリウムを注入し、濃縮カラム４を水酸化ナトリウム化するようにした。
【００２１】
この結果、極微量（ｐｐｔレベル）の塩化物イオン（Ｃ１−）が濃縮力ラム４を通過、捕捉された場合に、測定結果のピーク値がブロードとなることを防止することが出来た。しかも、炭酸がピーク値として現れることも防止することが出来た。
【００２２】
この結果、
（１）濃縮直前に濃縮カラムの溶離液組成が変更出来て、微量レベルのイオンを測定可能としたイオン分析装置が得られる。
【００２３】
（２）測定水中にアンモニアが２４００ｐｐｂ程度含まれ、この中の極徴量（ＰＰｔレベル）の塩化物イオン（Ｃｌ一）を測定する事が出来るイオン分析装置が得られる。
即ち、高アルカリ水中に含まれる微量の塩化イオンの測定が出来るイオン分析装置が得られる。
【００２４】
（３）炭酸によるピーク値が出ない炭酸ナトリウムを溶離液として使用することが出来るイオン分析装置が得られる。
【００２５】
（４）組成変更溶離液注入バルブ１１の操作により、容易に濃縮カラム４に組成変更溶離液１２が注入出来るので、操作性が向上されたイオン分析装置が得られる。
【００２６】
なお、以上の説明は、本発明の説明および例示を目的として特定の好適な実施例を示したに過ぎない。したがって本発明は、上記実施例に限定されることなく、その本質から逸脱しない範囲で更に多くの変更、変形をも含むものである。
【００２７】
【発明の効果】
以上説明したように、本発明の請求項１によれば、次のような効果がある。
濃縮カラムの入り口に設けられこの濃縮カラムに組成変更溶離液が注入される組成変更溶離液注入手段が設けられたので、濃縮直前に濃縮カラムの溶離液組成が変更出来て、微量レベルのイオンを測定可能としたイオン分析装置が得られる。
【００２８】
本発明の請求項２によれば、次のような効果がある。
組成変更溶離液注入手段として、組成変更溶離液注入バルブが使用されたので、組成変更溶離液注入バルブの操作により、容易に濃縮カラムに組成変更溶離液が注入出来るので、操作性が向上されたイオン分析装置が得られる。
【００２９】
本発明の請求項３によれば、次のような効果がある。
組成変更溶離液として、水酸化ナトリウムが使用されたので、高アルカリ水中に含まれる微量の塩化イオンの測定に好適なイオン分析装置が得られる。
【００３０】
従って、本発明によれば、濃縮直前に濃縮カラムの溶離液組成が変更出来て、微量レベルのイオンを測定可能としたイオン分析装置を実現することが出来る。
【図面の簡単な説明】
【図１】本発明の一実施例の要部構成説明図である。
【図２】従来より一般に使用されている従来例の要部構成説明図である。
【符号の説明】
２      サンプルポンプ
３      切換えバルブ
４      濃縮カラム
５      分離カラム
６      サプレッサ
７      導電率検出器
８      溶離液ポンプ
９      除去液ポンプ
１１    組成変更溶離液注入手段
１２    組成変更溶離液
１３    計量管
【図１】
0004192447.tif 000002
【図２】
0004192447.tif 000003